(57)【要約】【課題】  広告媒体のコストを安価にできる情報提供装置及び情報提供システムを提供すること。【解決手段】  情報提供システム１は、電車やバス等の車中につるされた印刷物である中吊り広告２と、中吊り広告２をつり下げるためのクリップ部３１近傍に配置された情報提供装置３と、情報提供装置３に広告詳細をリクエストする携帯電話やＰＤＡ、ノートパソコンなどの携帯情報端末４とから構成されている。中吊り広告２に広告詳細情報を記憶させた記憶装置を予め印刷時などに付けておき、中吊り広告２がクリップ部３１に挟まれたことを契機として、情報提供装置３にその広告詳細情報を読み込んで記憶する。そして、携帯情報端末４から詳細情報のリクエストがあった場合には、情報提供装置３に記憶された広告詳細情報から、現在時刻や広告位置の条件にあった詳細情報を取り出して送信する。【選択図】  図１
2005165163.tif 000002
【特許請求の範囲】
【請求項１】
印刷物が設置されたことを検出する検出手段と、
当該検出手段が前記印刷物の設置を検出したときに、その印刷物そのもの又はその印刷物に付された情報記憶手段から詳細情報を取り込む詳細情報取得手段と、
当該詳細情報取得手段が取得した詳細情報を記憶する詳細情報記憶手段と、
携帯情報端末から前記印刷物に関する詳細情報のリクエストを受信する受信手段と、
前記受信手段が受信したリクエストに対応する詳細情報を前記詳細情報記憶手段から抽出する詳細情報抽出手段と、
当該詳細情報抽出手段により抽出された詳細情報を前記携帯情報端末に送信する送信手段とを備えたことを特徴とする情報提供装置。
【請求項２】
前記詳細情報取得手段により取得された詳細情報と、前記詳細情報記憶手段に既に記憶されている記憶済詳細情報とを比較する詳細情報比較手段と、
当該詳細情報比較手段により前記詳細情報と前記記憶済詳細情報とが異なるとされた場合に、前記詳細情報取得手段が詳細情報を取得した取得時刻を記憶する詳細情報取得時刻記憶手段とを備え、
前記詳細情報記憶手段は、前記詳細情報比較手段により、前記詳細情報と前記記憶済詳細情報とが異なるとされた場合のみ前記詳細情報を記憶することを特徴とする請求項１に記載の情報提供装置。
【請求項３】
前記印刷物の設置位置を記憶した設置位置情報記憶手段を備え、
前記詳細情報記憶手段は、前記印刷物の設置位置に対応する１又は複数の詳細情報を記憶し、
前記詳細情報抽出手段は、前記設置位置情報記憶手段が記憶している設置位置と一致する設置位置に対応する詳細情報を抽出することを特徴とする請求項１又は２に記載の情報提供装置。
【請求項４】
前記詳細情報記憶手段は、情報提供時刻に対応する１又は複数の詳細情報を記憶し、
前記詳細情報抽出手段は、前記受信手段がリクエストを受信した時刻と一致する情報提供時刻に対応する詳細情報を抽出することを特徴とする請求項１乃至３のいずれかに記載の情報提供装置。
【請求項５】
前記情報記憶手段に記憶された詳細情報は、電子データにより構成されていることを特徴とする請求項１乃至４のいずれかに記載の情報提供装置。
【請求項６】
前記印刷物の詳細情報は、印刷された画像情報であり、
当該画像情報を読み込む画像読込手段と、
当該画像読込手段により読み込まれた画像情報を電子データに変換する変換手段とを備え、
前記詳細情報取得手段は、当該変換手段により変換された電子データを詳細情報として取り込むことを特徴とする請求項１乃至４のいずれかに記載の情報提供装置。
【請求項７】
前記受信手段が詳細情報のリクエストを受信した受信時刻及び受信回数を履歴情報として記憶する履歴情報記憶手段と、
前記受信手段が受信したリクエスト内容を識別する識別手段と、
当該識別手段がリクエスト内容を履歴情報リクエストであると識別した場合に、前記履歴情報記憶手段から履歴情報を抽出する履歴情報抽出手段とを備え、
前記受信手段は、履歴情報収集端末からの履歴情報のリクエストを受信し、
前記詳細情報抽出手段は、前記識別手段がリクエスト内容を詳細情報リクエストであると識別した場合に、当該リクエストに対応する詳細情報を前記詳細情報記憶手段から抽出することを特徴とする請求項１乃至６のいずれかに記載の情報提供装置。
【請求項８】
印刷物設置装置と、携帯情報端末と、当該携帯情報端末とネットワークを介して接続された情報提供サーバとからなる情報提供システムであって、
前記印刷物設置装置は、
印刷物が設置されたことを検出する検出手段と、
当該検出手段が前記印刷物の設置を検出したときに、その印刷物のＩＤを取り込むＩＤ取得手段と、
当該ＩＤ取得手段が取得したＩＤを記憶するＩＤ記憶手段と、
当該ＩＤ記憶手段が記憶しているＩＤを前記携帯情報端末に対し送信するＩＤ送信手段とを備え、
前記携帯情報端末は、
前記印刷物設置装置から送信されたＩＤを受信するＩＤ受信手段と、
前記情報提供サーバに対し、当該受信手段が受信したＩＤに対応する詳細情報のリクエストを送信するリクエスト送信手段と、
前記情報提供サーバから送信された詳細情報を受信する詳細情報受信手段と、
当該詳細情報受信手段が受信した詳細情報を表示する表示手段とを備え、
前記情報提供サーバは、
印刷物のＩＤに対応する詳細情報を記憶した詳細情報記憶手段と、
前記携帯情報端末から送信されたリクエストを受信するリクエスト受信手段と、
前記リクエスト受信手段が受信したリクエストに対応する詳細情報を前記詳細情報記憶手段から抽出する詳細情報抽出手段と、
当該詳細情報抽出手段により抽出された詳細情報を前記携帯情報端末に送信する詳細情報送信手段とを備えたことを特徴とする情報提供システム。
【請求項９】
前記印刷物設置装置は、
前記ＩＤ取得手段により取得されたＩＤと、前記ＩＤ記憶手段に既に記憶されている記憶済ＩＤとを比較するＩＤ比較手段と、
当該ＩＤ比較手段により前記ＩＤと前記記憶済ＩＤとが異なるとされた場合に、前記ＩＤ取得手段がＩＤを取得した取得時刻を記憶するＩＤ取得時刻記憶手段とを備え、
前記ＩＤ記憶手段は、前記ＩＤ比較手段により、前記ＩＤと前記記憶済ＩＤとが異なるとされた場合のみ前記ＩＤを記憶することを特徴とする請求項８に記載の情報提供システム。
【請求項１０】
前記印刷物設置装置は、
前記印刷物の設置位置を記憶した設置位置情報記憶手段を備え、
前記ＩＤ送信手段は、当該設置位置情報とともにＩＤを送信し、
前記携帯情報端末は、
ＩＤ受信手段が前記ＩＤとともに前記設置位置情報を受信し、
前記情報提供サーバは、
前記詳細情報記憶手段は、前記設置位置に対応する１又は複数の詳細情報を記憶し、
前記詳細情報抽出手段は、前記設置位置情報記憶手段が記憶している設置位置と一致する設置位置に対応する詳細情報を抽出することを特徴とする請求項８又は９に記載の情報提供システム。
【請求項１１】
前記詳細情報記憶手段は、情報提供時刻に対応する１又は複数の詳細情報を記憶し、
前記詳細情報抽出手段は、前記リクエスト受信手段がリクエストを受信した時刻と一致する情報提供時刻に対応する詳細情報を抽出することを特徴とする請求項８乃至１０のいずれかに記載の情報提供システム。
【発明の詳細な説明】
【技術分野】
【０００１】
本発明は、ポスターや看板等の印刷媒体を用いた広告についての詳細情報を提供するための情報提供装置及び情報提供システムに関するものである。
【背景技術】
【０００２】
一般に、電車の中吊り広告、街頭や駅の看板・ポスター等の媒体に付された広告は、視覚に訴えるために構成されている都合上、概要が記されているだけなので、看者がその詳細を知りたい場合には、広告主に問い合わせたり、広告されている場所に出向いたりする必要があった。このような不都合を解消するために、特許文献１では、広告媒体に無線タグを添付し、その無線タグに記憶された詳細情報を読取機能を備えた携帯情報端末で読み出すようにしている。
【特許文献１】特開２００２−２６８５９３号公報
【発明の開示】
【発明が解決しようとする課題】
【０００３】
しかしながら、上記文献に開示された情報提供方法では、詳細情報を提供したい個々の広告媒体にそれぞれ無線タグを添付する必要があり、広告媒体のコストが高くなるという問題を有するものであった。
【０００４】
本発明は上記問題を解決するためになされたものであり、広告媒体のコストを安価にできる情報提供装置及び情報提供システムを提供することを目的とする。
【課題を解決するための手段】
【０００５】
上記目的を達成するために、本出願の第一の発明の情報提供装置は、印刷物が設置されたことを検出する検出手段と、当該検出手段が前記印刷物の設置を検出したときに、その印刷物そのもの又はその印刷物に付された情報記憶手段から詳細情報を取り込む詳細情報取得手段と、当該詳細情報取得手段が取得した詳細情報を記憶する詳細情報記憶手段と、携帯情報端末から前記印刷物に関する詳細情報のリクエストを受信する受信手段と、前記受信手段が受信したリクエストに対応する詳細情報を前記詳細情報記憶手段から抽出する詳細情報抽出手段と、当該詳細情報抽出手段により抽出された詳細情報を前記携帯情報端末に送信する送信手段とを備えている。
【０００６】
また、本発明は、前記詳細情報取得手段により取得された詳細情報と、前記詳細情報記憶手段に既に記憶されている記憶済詳細情報とを比較する詳細情報比較手段と、当該詳細情報比較手段により前記詳細情報と前記記憶済詳細情報とが異なるとされた場合に、前記詳細情報取得手段が詳細情報を取得した取得時刻を記憶する詳細情報取得時刻記憶手段とを備え、前記詳細情報記憶手段は、前記詳細情報比較手段により、前記詳細情報と前記記憶済詳細情報とが異なるとされた場合のみ前記詳細情報を記憶してもよい。
【０００７】
また、本発明は、前記印刷物の設置位置を記憶した設置位置情報記憶手段を備え、前記詳細情報記憶手段は、前記印刷物の設置位置に対応する１又は複数の詳細情報を記憶し、前記詳細情報抽出手段は、前記設置位置情報記憶手段が記憶している設置位置と一致する設置位置に対応する詳細情報を抽出してもよい。
【０００８】
また、本発明は、前記詳細情報記憶手段が、情報提供時刻に対応する１又は複数の詳細情報を記憶し、前記詳細情報抽出手段は、前記受信手段がリクエストを受信した時刻と一致する情報提供時刻に対応する詳細情報を抽出してもよい。
【０００９】
また、本発明は、前記情報記憶手段に記憶された詳細情報が、電子データにより構成されていてもよい。
【００１０】
また、本発明は、前記印刷物の詳細情報が、印刷された画像情報であり、当該画像情報を読み込む画像読込手段と、当該画像読込手段により読み込まれた画像情報を電子データに変換する変換手段とを備え、前記詳細情報取得手段は、当該変換手段により変換された電子データを詳細情報として取り込むようにしてもよい。
【００１１】
また、本発明は、前記受信手段が詳細情報のリクエストを受信した受信時刻及び受信回数を履歴情報として記憶する履歴情報記憶手段と、前記受信手段が受信したリクエスト内容を識別する識別手段と、当該識別手段がリクエスト内容を履歴情報リクエストであると識別した場合に、前記履歴情報記憶手段から履歴情報を抽出する履歴情報抽出手段とを備え、前記受信手段は、履歴情報収集端末からの履歴情報のリクエストを受信し、前記詳細情報抽出手段は、前記識別手段がリクエスト内容を詳細情報リクエストであると識別した場合に、当該リクエストに対応する詳細情報を前記詳細情報記憶手段から抽出してもよい。
【００１２】
また、本出願の別の発明は、印刷物設置装置と、携帯情報端末と、当該携帯情報端末とネットワークを介して接続された情報提供サーバとからなる情報提供システムであって、前記印刷物設置装置は、印刷物が設置されたことを検出する検出手段と、当該検出手段が前記印刷物の設置を検出したときに、その印刷物のＩＤを取り込むＩＤ取得手段と、当該ＩＤ取得手段が取得したＩＤを記憶するＩＤ記憶手段と、当該ＩＤ記憶手段が記憶しているＩＤを前記携帯情報端末に対し送信するＩＤ送信手段とを備え、前記携帯情報端末は、前記印刷物設置装置から送信されたＩＤを受信するＩＤ受信手段と、前記情報提供サーバに対し、当該受信手段が受信したＩＤに対応する詳細情報のリクエストを送信するリクエスト送信手段と、前記情報提供サーバから送信された詳細情報を受信する詳細情報受信手段と、当該詳細情報受信手段が受信した詳細情報を表示する表示手段とを備え、前記情報提供サーバは、印刷物のＩＤに対応する詳細情報を記憶した詳細情報記憶手段と、前記携帯情報端末から送信されたリクエストを受信するリクエスト受信手段と、前記リクエスト受信手段が受信したリクエストに対応する詳細情報を前記詳細情報記憶手段から抽出する詳細情報抽出手段と、当該詳細情報抽出手段により抽出された詳細情報を前記携帯情報端末に送信する詳細情報送信手段とを備えている。
【００１３】
また、本発明は、前記印刷物設置装置が、前記ＩＤ取得手段により取得されたＩＤと、前記ＩＤ記憶手段に既に記憶されている記憶済ＩＤとを比較するＩＤ比較手段と、当該ＩＤ比較手段により前記ＩＤと前記記憶済ＩＤとが異なるとされた場合に、前記ＩＤ取得手段がＩＤを取得した取得時刻を記憶するＩＤ取得時刻記憶手段とを備え、前記ＩＤ記憶手段は、前記ＩＤ比較手段により、前記ＩＤと前記記憶済ＩＤとが異なるとされた場合のみ前記ＩＤを記憶することを特徴とする。
【００１４】
また、本発明は、前記印刷物設置装置が、前記印刷物の設置位置を記憶した設置位置情報記憶手段を備え、前記ＩＤ送信手段は、当該設置位置情報とともにＩＤを送信し、前記携帯情報端末は、ＩＤ受信手段が前記ＩＤとともに前記設置位置情報を受信し、前記情報提供サーバは、前記詳細情報記憶手段が、前記設置位置に対応する１又は複数の詳細情報を記憶し、前記詳細情報抽出手段は、前記設置位置情報記憶手段が記憶している設置位置と一致する設置位置に対応する詳細情報を抽出してもよい。
【００１５】
また、本発明は、前記詳細情報記憶手段が、情報提供時刻に対応する１又は複数の詳細情報を記憶し、前記詳細情報抽出手段は、前記リクエスト受信手段がリクエストを受信した時刻と一致する情報提供時刻に対応する詳細情報を抽出してもよい。
【発明の効果】
【００１６】
本出願の第一の発明の情報提供装置は、印刷物が設置されたことを検出し、印刷物につけられている詳細情報を取り込み、記憶手段に記憶する。そして、携帯情報端末からのリクエストに応じて詳細情報を取り出して提供する。従って、無線タグを有する印刷物側には、携帯情報端末との送受信手段が不要なので、印刷物を安価・簡単に実現可能である。
【００１７】
また、印刷物から情報を取り込んだときに、既に記憶されている情報と同一だった場合には、あらためて記憶をしないように構成すると、印刷物の付け替え頻度にかかわらず、その印刷物がいつから掲示されているかがわかる。
【００１８】
また、同じ印刷物であっても、設置位置(電車の路線等）によって、携帯情報端末に提供する詳細情報の内容に変化をつけることにより、設置位置によって看者の層が異なるような場合に、より客層にマッチした詳細情報が提供できる。
【００１９】
また、同じ印刷物であっても、リクエスト時刻によりフィルタリングをかけて、詳細情報を提供すれば、時間帯によって同じ設置位置でも客層が異なる場合に、より客層にマッチした詳細情報が提供できる。
【００２０】
また、印刷物上の詳細情報を、ＩＣチップ、メモリ等の電子媒体に記憶すれば、大量の詳細情報が記憶できる。
【００２１】
また、詳細情報を、バーコード、二次元バーコードや詳細字の印刷等により、印刷物本体と同様に印刷すれば、安価・簡単に実現できる。
【００２２】
また、詳細情報のリクエストを履歴情報として記憶し、履歴情報収集端末から発信される履歴情報リクエストに応えて履歴情報を提供すれば、詳細情報のリクエスト履歴を収集し、後に解析することで印刷物に掲載された広告などの効果を計り、また、マーケット情報として利用できる。
【００２３】
本出願の第二の発明の情報提供システムでは、印刷物にはＩＤを付与し、情報提供サーバにそのＩＤに対応した詳細情報を記憶させておくため、ネットワークに接続できる携帯情報端末があれば、その詳細情報リクエストに応えて情報提供サーバから詳細情報を提供できる。従って、印刷物設置装置は、ＩＤと設置位置を記憶しておけばよいので、記憶容量が少なくてよい。
【００２４】
また、付け替えられた印刷物のＩＤが前回と同様の場合には記憶をしないよう構成すると、印刷物の付け替え頻度にかかわらず、その印刷物がいつから掲示されているかがわかる。
【００２５】
また、同じ印刷物であっても、設置位置(電車の路線等）によって、携帯情報端末に提供する詳細情報の内容に変化をつけることにより、設置位置によって看者の層が異なるような場合に、より客層に適した詳細情報が提供できる。
【００２６】
また、同じ印刷物であっても、リクエスト時刻によりフィルタリングをかけて、詳細情報を提供すれば、時間帯によって同じ設置位置でも客層が異なる場合に、より客層に適した詳細情報が提供できる。
【発明を実施するための最良の形態】
【００２７】
次に本発明を実施するための最良の形態について図面を参照して説明する。まず、本発明を好適に実施した第一の実施の形態の情報提供システム１の構成について図１〜図４を参照して説明する。図１は第一の実施の形態の情報提供システム１の構成図である。図２は、本実施形態の情報提供装置３のブロック図である。図３は、本実施形態の携帯情報端末４のブロック図である。図４は、広告情報テーブル８０の模式図である。
【００２８】
図１に示すように、情報提供システム１は、電車やバス等の車中につるされた印刷物である中吊り広告２と、中吊り広告２をつり下げるためのクリップ部３１近傍に配置された情報提供装置３と、情報提供装置３に広告詳細をリクエストする携帯電話やＰＤＡ、ノートパソコンなどの携帯情報端末４とから構成されている。
【００２９】
中吊り広告２には、ＩＣメモリ等で構成された広告詳細情報記憶装置２１と、クリップ部３１に中吊り広告２が挟まれたときにこれを検知するための接点やセンサで構成されたインタフェイス(Ｉ／Ｆ)２２が、クリップ部３１に対応する箇所に設けられている。
【００３０】
情報提供装置３には、中吊り広告２をつり下げるためのクリップ部３１と、中吊り広告２がクリップ部に挟まれたことを検知するための、接点やセンサで構成され、インタフェイス２２に対応するインタフェイス(Ｉ／Ｆ)３２と、このインタフェイス３２での検知結果を取得して出力する挟み込み検出部３３と、挟み込み検出部３３の検出結果をトリガーとして、広告詳細情報記憶装置２１から広告詳細情報を読み込む広告詳細情報読み込み部３４と、広告詳細情報読み込み部３４によって読み込まれた広告詳細情報を記憶する広告詳細情報記憶部３５と、クリップ部３１の設置位置を示す情報を記憶した設置位置情報記憶部３６と、携帯情報端末４からの広告詳細リクエストを受信する無線受信部３７と、携帯情報端末４に広告詳細情報を送信する無線送信部３８とから構成されている。なお、情報提供装置３にはリアルタイマ３９が設けられており、広告詳細情報記憶部３５に広告詳細情報読み込み部３４が読み込んだ詳細情報を記憶する際には、既に記憶されている詳細情報と同一の情報であるか否かをチェックし、同一でない場合にリアルタイマ３９から得られた現在時刻を読込時刻として広告詳細情報記憶部３５に記憶する。
【００３１】
携帯情報端末４は、情報提供装置３に広告詳細リクエストを送信するための無線送信部４１と、情報提供装置３から送信された広告詳細情報を受信する無線受信部４２と、受信した広告詳細を表示する広告詳細情報表示入力制御部７０とから構成されている。なお、携帯情報端末４と情報提供装置３との間で行なう無線送受信方法としては、無線タグ(ＲＦＩＤ)や、ブルートゥース、無線ＬＡＮ等を用いることができる。
【００３２】
次に、情報提供装置３の電気的構成を図２を参照して説明する。図２に示すように、情報提供装置３は、ＣＰＵ５１を中心に、中吊り広告２から広告詳細情報を読み込む広告詳細情報読み込み回路５２，中吊り広告２が取り付けられたことを検出するクリップ挟み込み検出回路５３，リアルタイマ３９，携帯情報端末４に無線電波を送信する無線送信回路５４，携帯情報端末４から無線電波を受信する無線受信回路５５，プログラムや静的データを記憶したＲＯＭ５６，広告詳細情報や読込時刻等の動的情報を記憶したＲＡＭ５７から構成されている。
【００３３】
ＲＯＭ５６には、情報提供装置３を制御する各種のプログラムを格納するプログラム格納エリア５６１と、初期設定値等を格納する静的データ格納エリア５６２とが設けられている。また、ＲＡＭ５７には、プログラム動作に必要な変数を格納する変数格納エリア５７１と、広告詳細情報読み込み回路５２により読み込まれた広告詳細情報を格納する広告詳細情報格納エリア５７２と、広告詳細情報の読込時刻を格納する設置時刻格納エリア５７３と、携帯情報端末４に送信するための情報を一時的に格納する送信情報格納エリア５７４とが設けられている。なお、ＲＡＭ５７は、不揮発性メモリで構成してもよい。
【００３４】
さらに、情報提供装置３に中吊り広告２が取り付けられると、中吊り広告２上にあるインタフェイス２２と、広告詳細情報を記憶した広告詳細情報格納エリア６２１を有するＲＯＭ６２とが接続される。
【００３５】
ここで、インタフェイス３２及びクリップ挟み込み検出回路５３が本発明の検出手段に相当する。また、ＲＡＭ５７の広告詳細情報格納エリア５７２が本発明の詳細情報記憶手段に相当し、設置時刻格納エリア５７３が本発明の詳細情報取得時刻記憶手段に相当する。また、無線送信回路５４が本発明の送信手段に、無線受信回路５５が本発明の受信手段に相当する。また、ＲＯＭ５６の静的データ格納エリア５６２が本発明の設置位置情報記憶手段に相当する。
【００３６】
次に、携帯情報端末４の電気的構成を図３を参照して説明する。図３に示すように、携帯情報端末４の広告詳細情報表示入力制御部７０は、ＣＰＵ７１を中心に、プログラムや静的データを記憶したＲＯＭ７６，情報提供装置３から受信した広告詳細情報等の動的情報を記憶するＲＡＭ７７，リクエスト等のキー操作入力を受け付ける操作入力回路７２，各種情報を液晶ディスプレイ等の表示装置（図示外）に表示させるための表示回路７３からなっている。さらに、携帯情報端末４には、情報提供装置３に無線電波を送信する無線送信部４１，情報提供装置３からの無線電波を受信する無線受信部４２が設けられている。
【００３７】
ＲＯＭ７６には、携帯情報端末４を制御する各種のプログラムを格納するプログラム格納エリア７６１と、携帯情報端末４自身に関する情報等を格納する静的データ格納エリア７６２とが設けられている。また、ＲＡＭ７７には、プログラム動作に必要な変数を格納する変数格納エリア７７１と、情報提供装置３から受信した広告詳細情報を格納する広告詳細情報格納エリア７７２とが設けられている。なお、ＲＡＭ７７は、不揮発性メモリで構成してもよい。
【００３８】
次に、広告情報テーブル８０の構成について、図４を参照して説明する。広告情報テーブル８０は、広告詳細情報の具体的内容であり、中吊り広告２のＲＯＭ６２の広告詳細情報格納エリア６２１に記憶されている。中吊り広告２がクリップ部３１に取り付けられると、情報提供装置３の広告詳細情報読み込み回路５２によって読み込まれた後、ＲＡＭ５７の広告詳細情報格納エリア５７２に記憶される。
【００３９】
図４に示すように、広告情報テーブル８０の個々のレコード（行）は、広告名８１，広告時間８２，広告位置８３，広告詳細内容８４の各項目から構成されている。広告名８１には現在クリップ部３１に挟まれている中吊り広告２の広告名が記憶される。広告時間８２には、広告詳細情報をリクエストされたときの時刻によって提供する詳細情報を変化させる場合に、条件となる提供時間が記憶される。例えば、全ての時間に提供する詳細情報にはＡＬＬが、午前中提供する詳細情報にはＡＭが、午後に提供する詳細情報にはＰＭが記憶される。広告位置８３には、広告詳細情報をリクエストされた対象の中吊り広告２がつり下げられている場所（路線）によって提供する詳細情報を変化させる場合に、条件となる提供対象場所が記憶される。例えば、設置場所にかかわらず提供する詳細情報にはＡＬＬが、ａ路線に設置されている広告について提供する詳細情報にはａ路線が、ｂ路線に設置されている広告について提供する詳細情報にはｂ路線が記憶される。広告詳細内容８４には、提供する広告詳細情報の内容が記憶されている。広告時間や広告位置によって提供情報がフィルタリングされるので、広告時間、広告位置に対応させて提供情報が分割して記憶されている。
【００４０】
次に、このように構成された情報提供システムの作用について図５〜図８のフローチャートを参照して説明する。図５は、情報提供装置３のメイン処理の流れを示すフローチャートである。図６は、図５のフローチャートの無線処理のサブルーチンのフローチャートである。図７は、図６のフローチャートの広告詳細情報読み出し処理のサブルーチンのフローチャートである。図８は、携帯情報端末４の処理の流れを示すフローチャートである。
【００４１】
まず、情報提供装置３のメイン処理について図５を参照して説明する。まず、中吊り広告２がクリップ部３１にセットされたか否かを判断する（Ｓ１）。この判断は、インタフェイス２２とインタフェイス３２とが接続された結果、クリップ挟み込み検出回路５３に信号が入力され、ＣＰＵ５１に検出信号が出力されたか否かにより行なわれる。セットされていない場合には（Ｓ１：ＮＯ）、Ｓ１１の無線処理（後述）に進む。中吊り広告２がセットされた場合には（Ｓ１：ＹＥＳ）、中吊り広告２のＲＯＭ６２の広告詳細情報格納エリア６２１に記憶されている広告詳細情報を読み込む（Ｓ３）。そして、ＲＡＭ５７に既に記憶されている広告詳細情報と比較し、その内容が同一であるか否かを判断する（Ｓ５）。内容が同一であれば（Ｓ５：ＹＥＳ）、重ねて記憶を行なわず、Ｓ１１に進む。以前に記憶されている詳細情報と同一でなければ（Ｓ５：ＮＯ）、読み込んだ広告詳細情報をＲＡＭ５７の広告詳細情報格納エリア５７２の広告情報テーブル８０に保存する（Ｓ７）。そして、この広告がいつから設置されたかを記憶するため、リアルタイマ３９から得られる現在時刻を設置時刻格納エリア５７３に記憶する（Ｓ９）。以上のＳ１〜Ｓ９が、中吊り広告２が設置されたときの処理である。
【００４２】
次に、携帯情報端末４からのリクエストに応じて広告詳細情報を提供する無線処理を行なう（Ｓ１１）。無線処理が終了すると、Ｓ１に戻り、以上のステップを繰り返す。無線処理の詳細は後述する。
【００４３】
次に、図６を参照して、図５のＳ１１で実行される無線処理の詳細について説明する。まず、携帯情報端末４からスキャン電波を受信したか否かを判断する（Ｓ２１）。電波を受信していなければ（Ｓ２１：ＮＯ）、図５のメインルーチンに戻る。スキャン電波を受信した場合には（Ｓ２１：ＹＥＳ）、広告詳細情報読み出し処理を行なう（Ｓ２３）。広告詳細情報読み出し処理の詳細は後述する。次に、読み出した広告詳細情報を携帯情報端末４に対する応答電波に変換する（Ｓ２５）。そして、変換された応答電波を携帯情報端末４に向けて送信する（Ｓ２７）。その後、メインルーチンに戻る。
【００４４】
次に、Ｓ２３の広告詳細情報読み出し処理の詳細を図７のフローチャートに基づき説明する。まず、リアルタイマ３９から現在時刻を取得する（Ｓ３１）。そして、ＲＯＭ５６から、中吊り広告２の設置位置情報を読み出す（Ｓ３２）。例えば、現在午前１０時で、広告はｂ路線に設置されているという情報がそれぞれ取得されたものとする。
【００４５】
次に、広告詳細情報格納エリア５７２に記憶された広告情報テーブル８０のレコード（行）を上から順に読み込んで処理を行なう（Ｓ３３〜Ｓ４７）。まず広告時間８２を読み込む（Ｓ３３）。例えば、図４の広告情報テーブル８０の例では、１回目の処理では、広告時間「ＡＬＬ」が読み込まれる。次に、このレコードが広告時間項目の終わりのレコードか否かを判断する（Ｓ３５）。図４に示すように、項目の最終レコードの次レコードには、項目終わりを示す情報［ＥＮＤ］が記憶されているので、この情報の有無により判断する。
【００４６】
広告時間項目の終わりでなければ（Ｓ３５：ＮＯ）、Ｓ３１で取得した現在時刻がＳ３３で読み出した広告時間の条件内に入っているか否かを判断する（Ｓ３７）。例えば、先の例では、読み出した広告時間は「ＡＬＬ」なので、現在時刻にかかわらず、広告時間内であるから、現在時刻１０時は条件を満たしているので（Ｓ３７：ＹＥＳ）、現在処理中のレコードにある広告詳細内容８４の情報を送信すべき広告詳細情報としてＲＡＭ５７の送信情報格納エリア５７４に記憶する（Ｓ３９）。先の例では、情報１が記憶される。そして、Ｓ３３に戻る。
【００４７】
２回目の処理では、次行のレコードの広告時間「ＡＭ」を読み出し（Ｓ３３）、まだ広告時間項目の終わりではないので（Ｓ３５：ＮＯ）、現在時刻１０時と読み出した広告時間「ＡＭ」を比較し、時間内に入っているので（Ｓ３７：ＹＥＳ）、このレコードの広告詳細情報を送信情報に追加して送信情報格納エリア５７４に記憶する（Ｓ３９）。すなわち、情報１の次に情報２が追加される。そして、Ｓ３３に戻る。
【００４８】
３回目の処理では、次行のレコードの広告時間「ＰＭ」を読み出し（Ｓ３３）、まだ広告時間項目の終わりではないので（Ｓ３５：ＮＯ）、現在時刻１０時と読み出した広告時間「ＰＭ」を比較し、時間内に入っていないので（Ｓ３７：ＮＯ）、そのままＳ３３に戻る。
【００４９】
４回目の処理では、次行のレコードの広告時間に記憶された項目終わり情報［ＥＮＤ］を読み出し（Ｓ３３）、広告時間項目の終わりとなったので（Ｓ３５：ＹＥＳ）、次に、処理中のレコードから広告位置を読み出す（Ｓ４１）。ここでは、広告位置「ＡＬＬ」が読み出される。
【００５０】
次に、広告位置項目の終わりか否かを判断する（Ｓ４３）。図４に示すように、広告位置項目にも、終わりを示す情報が記憶されている。広告位置項目の終わりでなければ（Ｓ４３：ＮＯ）、Ｓ３２で取得した設置位置がＳ４１で読み出した広告位置条件を満たしているか否かを判断する（Ｓ４５）。現在処理中のレコードは、広告位置条件は「ＡＬＬ」なので、設置位置にかかわらず、条件を満たしているので（Ｓ４５：ＹＥＳ）、現在処理中のレコードにある広告詳細内容８４の情報を送信すべき広告詳細情報としてＲＡＭ５７の送信情報格納エリア５７４に追加して記憶する（Ｓ４７）。ここでは、情報４が記憶される。そして、Ｓ４１に戻る。
【００５１】
２回目の処理では、次行のレコードの広告位置「ａ路線」を読み出し（Ｓ４１）、まだ広告位置項目の終わりではないので（Ｓ４３：ＮＯ）、設置位置であるｂ路線と読み出した広告位置条件「ａ路線」を比較し、条件を満たしていないので（Ｓ４５：ＮＯ）、そのままＳ４１に戻る。
【００５２】
３回目の処理では、次行のレコードの広告位置「ｂ路線」を読み出し（Ｓ４１）、まだ広告位置項目の終わりではないので（Ｓ４３：ＮＯ）、設置位置であるｂ路線と読み出した広告位置条件「ｂ路線」を比較し、条件を満たしているので（Ｓ４５：ＹＥＳ）、現在処理中のレコードにある広告詳細内容８４の情報を送信すべき広告詳細情報としてＲＡＭ５７の送信情報格納エリア５７４に追加して記憶する（Ｓ４７）。ここでは、情報６が記憶される。そして、Ｓ４１に戻る。
【００５３】
４回目の処理では、次行のレコードの広告位置に記憶された項目終わり情報［ＥＮＤ］を読み出し（Ｓ４１）、広告位置項目の終わりとなったので（Ｓ４３：ＹＥＳ）、メインルーチンに戻る。以上の処理により、この例ではＲＡＭ５７の送信情報格納エリア５７４には、送信すべき広告情報として、情報１，情報２，情報４，情報６が記憶されたことになる。
【００５４】
次に、図８を参照して、携帯情報端末４における処理について説明する。まず、広告詳細情報をリクエストするスキャン電波を、無線送信部４１から情報提供装置３に向けて送信する（Ｓ５１）。そして、情報提供装置３から応答があったか否かを判断し（Ｓ５３）、応答がない場合には（Ｓ５３：ＮＯ）、所定の時間を経過してタイムアウトになったか否かをさらに判断し（Ｓ５５）、タイムアウトでなければ（Ｓ５５：ＮＯ）、Ｓ５３に戻って再び応答がないか否かを判断する。タイムアウトの場合には（Ｓ５５：ＹＥＳ）、Ｓ５１に戻って再度スキャン電波を送信する。
【００５５】
情報提供装置３から応答があった場合には（Ｓ５３：ＹＥＳ）、応答電波を受信する（Ｓ５７）。そして、受信した応答電波から広告詳細情報を分離し（Ｓ５９）、ＲＡＭ７７の広告詳細情報格納エリア７７２に一旦格納して（Ｓ６１）、液晶等の表示画面に広告詳細情報を表示する（Ｓ６３）。そして、Ｓ５１に戻る。ここで受信される広告詳細情報は、図７のフローチャートで説明したように、携帯情報端末４がリクエストを送信した時刻や、中吊り広告２の設置位置によって選択された情報であり、前述した「午前１０時、ｂ路線」という例では、情報１，情報２，情報４，情報６が広告詳細情報として受信され、表示される。情報１〜４は、好適には、沿線の店舗の紹介、売り出し広告情報、タイムサービス情報等から構成される。
【００５６】
以上説明したように、本実施形態の情報提供システム１によれば、広告詳細情報を記憶させたＲＯＭ７６を中吊り広告２の印刷時などに予め付けておき、中吊り広告２がクリップ部３１に挟まれたことを契機として、情報提供装置３にその広告詳細情報を読み込んで記憶する。そして、携帯情報端末４から無線により詳細情報のリクエストがあった場合には、情報提供装置３に記憶された広告詳細情報から、現在時刻や広告位置の条件にあった詳細情報を取り出して送信する。従って、広告の看者は、携帯電話などの携帯情報端末４を携帯していれば、その場で広告の詳細情報を得ることができる。また、詳細情報は中吊り広告２にＲＯＭ７６の形で付されているが、中吊り広告２そのものには無線送受信回路やＣＰＵ等の情報提供装置の機能をもたせておらず、情報提供装置は中吊り広告２を挟むクリップ側に常設の装置とし、広告の設置のたびに詳細情報が読み込まれる構成としたので、印刷物側に高価な構成が不要であり、記憶情報の読込も、必ず行なわれる広告の設置と同期して行なわれるため、実現が容易である。
【００５７】
なお、本実施形態において、図５のフローチャートのＳ３にて広告詳細情報の読込処理を実行するＣＰＵ５１が本発明の詳細情報取得手段として機能する。また、図６のフローチャートのＳ２３及び図７のフローチャートにおいて広告詳細情報読み出し処理を実行するＣＰＵ５１が本発明の詳細情報抽出手段として機能する。さらに、図５のフローチャートのＳ５において広告詳細情報比較処理を実行するＣＰＵ５１が本発明の詳細情報比較手段として機能する。
【００５８】
次に、本発明の第二の実施の形態について、図９〜図１２を参照して説明する。まず、第二の実施の形態の構成について、図９及び図１０を参照して説明する。図９は、第二の実施の形態の情報提供システム１００の構成図である。図１０は、本実施形態の情報提供装置１０３のブロック図である。以下において、第一の実施の形態と共通の構成については、同一の符号を付し、説明を省略する。
【００５９】
図９に示すように、情報提供システム１００は、電車やバス等の車中につるされた印刷物である中吊り広告２と、中吊り広告２をつり下げるためのクリップ部３１近傍に配置された情報提供装置１０３と、情報提供装置１０３に広告詳細をリクエストする携帯電話や通信機能を有するＰＤＡ、ノートパソコンなどの携帯情報端末４とから構成されている。
【００６０】
中吊り広告２には、クリップ部３１に対応する位置に、詳細情報がバーコードや精細字で印刷された詳細情報部２５が設けられている。そして、情報提供装置３のクリップ部３１には、詳細情報部２５の印刷情報を読み取るための画像スキャナ１０４が設けられ、中吊り広告２が取り付けられた際には、画像スキャナ１０４で詳細情報部２５の印刷情報を読み取って、電子データに変換し、広告詳細情報記憶部３５に記憶するように構成されている。なお、画像スキャナ１０４が本発明の画像読込手段に相当する。
【００６１】
次に、情報提供装置１０３の電気的構成を図１０に基づいて説明する。情報提供装置１０３は、情報提供装置３と同様に、ＣＰＵ５１を中心に、広告詳細情報読み込み回路５２，クリップ挟み込み検出回路５３，リアルタイマ３９，無線送信回路５４，無線受信回路５５，ＲＯＭ５６，ＲＡＭ５７から構成され、さらに、広告詳細情報読み込み回路５２には、詳細情報部３５の印刷情報を読み取るための画像スキャナ１０４が接続されている。
【００６２】
次に、本実施形態の情報システム１００の作用について図１１及び図１２のフローチャートを参照して説明する。図１１は情報提供装置１０３のメイン処理のフローチャートであり、図１２はメイン処理の中の広告詳細情報スキャン処理のサブルーチンのフローチャートである。なお、以下のフローチャートにおいて、第一の実施の形態と同一のステップについては、同一のステップ番号を付し、詳細な説明は省略する。
【００６３】
図１１に示すように、まず、中吊り広告２がクリップ部３１にセットされたか否かを判断する（Ｓ１）。セットされていない場合には（Ｓ１：ＮＯ）、Ｓ１１に進む。中吊り広告２がセットされた場合には（Ｓ１：ＹＥＳ）、広告詳細情報を中吊り広告２の詳細情報部２５を画像スキャナ１０４で読み取る広告詳細情報スキャン処理を行なう（Ｓ１０３）。広告詳細情報スキャン処理の詳細については後述する。そして、得られた詳細情報を、ＲＡＭ５７に既に記憶されている広告詳細情報と比較し、その内容が同一であるか否かを判断する（Ｓ５）。内容が同一であれば（Ｓ５：ＹＥＳ）、重ねて記憶を行なわず、Ｓ１１に進む。以前に記憶されている詳細情報と同一でなければ（Ｓ５：ＮＯ）、読み込んだ広告詳細情報をＲＡＭ５７の広告詳細情報格納エリア５７２の広告情報テーブルに保存する（Ｓ７）。そして、この広告がいつから設置されたかを記憶するため、リアルタイマ３９から得られる現在時刻を設置時刻格納エリア５７３に記憶する（Ｓ９）。以上のＳ１〜Ｓ９が、中吊り広告２が設置されたときの処理である。
【００６４】
次に、携帯情報端末４からのリクエストに応じて広告詳細情報を提供する無線処理を行なう（Ｓ１１）。無線処理が終了すると、Ｓ１に戻り、以上のステップを繰り返す。無線処理の詳細は第一の実施の形態と同様である(図６参照)。
【００６５】
次に、図１１のＳ１０３で行なう広告詳細情報スキャン処理の詳細について、図１２を参照して説明する。まず、画像スキャナ１０４を初期化する（Ｓ１１１）。次に、詳細情報部３５の印刷情報画像データをスキャナ１０４で読み取る（Ｓ１１３）。そして、読み取った画像データを電子データに変換し、図４に示すような広告情報テーブルの形にする（Ｓ１１５）。この変換により、図１１のＳ５における広告詳細情報比較処理が可能になる。そして、メインルーチンに戻る。
【００６６】
以上説明したように、本実施形態の情報提供システム１００によれば、詳細情報が印刷情報として中吊り広告２上に印刷されており、これを画像スキャナ１０４で読み込み、その後電子データに変換して、詳細情報として記憶する。従って、広告の印刷時に同時に詳細情報を印刷してしまえばよく、メモリ等の特別な構成を必要としないので、従来の設備で実現することが容易にできる。
【００６７】
なお、図１２のフローチャートのＳ１１５において読み取った画像データを電子データに変換するＣＰＵ５１が本発明の変換手段として機能する。
【００６８】
次に、本発明の第三の実施の形態について、図１３〜図２０を参照して説明する。まず、第三の実施の形態の構成について、図１３〜図１６を参照して説明する。図１３は、第三の実施の形態の情報提供システム２００の構成図である。図１４は、本実施形態の情報提供装置２０３のＲＯＭ５６の構成を示す模式図である。図１５は、本実施形態の情報提供装置２０３のＲＡＭ５７の構成を示す模式図である。図１６は、本実施形態の履歴情報収集端末２０５の電気的構成を示すブロック図である。以下において、第一の実施の形態と共通の構成については、同一の符号を付し、説明を省略する。
【００６９】
図１３に示すように、情報提供システム２００は、電車やバス等の車中につるされた印刷物である中吊り広告２と、中吊り広告２をつり下げるためのクリップ部３１近傍に配置された情報提供装置２０３と、情報提供装置２０３に広告詳細をリクエストする携帯情報端末４と、情報提供装置２０３から広告詳細情報へのアクセス履歴の情報(広告アクセス情報)を取得する履歴情報収集端末２０５とから構成されている。
【００７０】
情報提供装置２０３には、、第一の実施の形態における情報提供装置３の構成に加え、広告詳細情報が携帯情報端末４からリクエストされてきた回数を記憶するアクセスカウンタ部２０４が設けられている。履歴情報収集端末２０５は、情報提供装置３に広告アクセス情報リクエストを送信するための無線送信部２１１と、情報提供装置３から送信された広告アクセス情報を受信する無線受信部２１２と、受信した広告アクセス情報を記憶する広告アクセス情報記憶部２１３とから構成されている。
【００７１】
情報提供装置２０３のＲＯＭ５６とＲＡＭ５７には、これに対応する記憶エリアが設けられているので、図１４及び図１５を参照して説明する。図１４に示すように、本実施形態において、ＲＯＭ５６には、プログラム格納エリア５６１と、静的データ格納エリア５６２と、設置位置情報を記憶する設置位置情報格納エリア５６３とが設けられている。
【００７２】
また、図１５に示すように、ＲＡＭ５７には、プログラム動作に必要な変数を格納する変数格納エリア５７１と、広告詳細情報を格納する広告詳細情報格納エリア５７２と、広告詳細情報の読込時刻を格納する設置時刻格納エリア５７３と、携帯情報端末４に送信するための情報を格納する送信情報格納エリア５７４と、携帯情報端末４からの広告詳細情報のリクエストの回数を記憶するアクセスカウント格納エリア５７５とが設けられている。
【００７３】
次に、履歴情報収集端末２０５の電気的構成について、図１６を参照して説明する。図１６履歴情報収集端末２０５は、ＣＰＵ２２１を中心に、情報提供装置３に無線電波を送信する無線送信回路２２４，情報提供装置３からの無線電波を受信する無線受信回路２２５，プログラムや静的データを記憶したＲＯＭ２２６，受信した広告アクセス情報等の動的情報を記憶するＲＡＭ２２７とから構成されている。
【００７４】
ＲＯＭ２２６には、履歴情報収集端末２０５を制御する各種のプログラムを格納するプログラム格納エリア２２６１と、履歴情報収集端末２０５自身に関する情報等を格納する静的データ格納エリア２２６２とが設けられている。また、ＲＡＭ２２７には、プログラム動作に必要な変数を格納する変数格納エリア２２７１と、情報提供装置３から受信した広告アクセス情報を格納する広告アクセス情報格納エリア２２７２とが設けられている。なお、ＲＡＭ２２７は、不揮発性メモリで構成してもよい。履歴情報収集端末２０５は、常時電波を発信して電波の受信範囲に含まれる情報提供装置３から次々に広告アクセス情報を取り込むように構成されている。
【００７５】
次に、本実施形態の情報システム２００の作用について図１７〜図２０のフローチャートを参照して説明する。図１７は情報提供装置１０３のメイン処理のフローチャートであり、図１８はメイン処理の中の無線処理のサブルーチンのフローチャートであり、図１９は、携帯情報端末４の処理の流れを示すフローチャートであり、図２０は、履歴情報収集端末２０５の処理の流れを示すフローチャートである。
【００７６】
まず、情報提供装置２０３のメイン処理について図１７を参照して説明する。まず、中吊り広告２がクリップ部３１にセットされたか否かを判断する（Ｓ１）。セットされていない場合には（Ｓ１：ＮＯ）、Ｓ２１１の無線処理に進む。中吊り広告２がセットされた場合には（Ｓ１：ＹＥＳ）、広告詳細情報を中吊り広告２のＲＯＭ６２から読み込む（Ｓ３）。そして、ＲＡＭ５７に既に記憶されている広告詳細情報と比較し、その内容が同一であるか否かを判断する（Ｓ５）。内容が同一であれば（Ｓ５：ＹＥＳ）、重ねて記憶を行なわず、Ｓ２１１に進む。
【００７７】
以前に記憶されている詳細情報と同一でなければ（Ｓ５：ＮＯ）、アクセスカウンタをリセットする（Ｓ２０６）。アクセスカウンタは、同一の広告毎に何回の詳細情報リクエストがあったかを計数するものである(図１８，Ｓ２２７参照)。従って、以前に記憶されている詳細情報と今回読み込んだ詳細情報が同一でなければ、新しい広告に付け替えられたと判断できるので、アクセスカウンタをここでリセットする。次いで、読み込んだ広告詳細情報をＲＡＭ５７の広告詳細情報格納エリア５７２の広告情報テーブルに保存する（Ｓ７）。そして、この広告がいつから設置されたかを記憶するため、リアルタイマ３９から得られる現在時刻を設置時刻格納エリア５７３に記憶する（Ｓ９）。以上のＳ１〜Ｓ９が、中吊り広告２が設置されたときの処理である。
【００７８】
次に、携帯情報端末４又は履歴情報収集端末２０５からのリクエストに応じて広告詳細情報又は広告アクセス情報を提供する無線処理を行なう（Ｓ２１１）。無線処理が終了すると、Ｓ１に戻り、以上のステップを繰り返す。無線処理の詳細は後述する。
【００７９】
次に、図１８を参照して、図１７のＳ２１１で実行される無線処理の詳細について説明する。まず、携帯情報端末４からスキャン電波を受信したか否かを判断する（Ｓ２１）。電波を受信していなければ（Ｓ２１：ＮＯ）、図１７のメインルーチンに戻る。スキャン電波を受信した場合には（Ｓ２１：ＹＥＳ）、受信したスキャン電波からリクエストコードを分離する（Ｓ２２３）。本実施の形態では、情報提供装置２０３に対してスキャン電波の発信によるリクエストが２種類存在する。１つが携帯情報端末４から発信される広告詳細情報リクエストであり、他の１つが履歴情報端末２０５から発信される広告アクセス情報リクエストである。この両者を識別するための情報が、リクエストコードである。リクエストコードは、携帯情報端末４及び履歴情報端末２０５において生成される(後述)。このＳ２２３で、スキャン電波からこのようなリクエストコードを分離する。次に、その分離されたリクエストコードが広告詳細情報リクエストか否かを判断する（Ｓ２２５）。
【００８０】
広告詳細情報リクエストの場合は（Ｓ２２５：ＹＥＳ）、ＲＡＭ５７のアクセスカウント格納エリア５７５に格納されているアクセスカウンタに１を加える（Ｓ２２７）。ここでアクセスカウンタに１を加えることにより、広告詳細情報が携帯情報端末４からリクエストされた回数を計数することができる。そして、広告詳細情報読み出し処理を行なう（Ｓ２３）。広告詳細情報読み出し処理の詳細は前述（図７のフローチャート）の通りである。次に、読み出した広告詳細情報を携帯情報端末４に対する応答電波に変換する（Ｓ２５）。そして、変換された応答電波を携帯情報端末４に向けて送信する（Ｓ２７）。その後、メインルーチンに戻る。
【００８１】
広告詳細情報リクエストでない場合は（Ｓ２２５：ＮＯ）、広告アクセス情報リクエストであるから、ＲＯＭ５６の設置位置情報格納エリア５６３から設置位置情報を、ＲＡＭ５７の設置時刻格納エリア５７３から設置時刻を、広告詳細情報格納エリア５７２の広告情報テーブル８０から広告名を、アクセスカウント格納エリア５７５からアクセス数を、それぞれ取り出す（Ｓ２２９）。そして、取り出した設置位置情報、設置時刻、広告名、アクセス数を応答電波に変換する（Ｓ２３１）。そして、変換された応答電波を携帯情報端末４に向けて送信する（Ｓ２７）。その後、メインルーチンに戻る。
【００８２】
次に、図１９を参照して、携帯情報端末４の処理について説明する。図１９に示すように、まず、広告詳細情報のリクエストであることを示す広告詳細情報リクエストコードをスキャン電波に変換する（Ｓ２５０）。これは、情報提供装置２０３に対してスキャン電波の発信によるリクエストが２種類存在することから、情報提供装置２０３がどちらのリクエストであるのかを識別するためのコードとして生成するものである。
【００８３】
次に、変換したスキャン電波を無線送信部４１から情報提供装置３に向けて送信する（Ｓ５１）。そして、情報提供装置３から応答があったか否かを判断し（Ｓ５３）、応答がない場合には（Ｓ５３：ＮＯ）、所定の時間を経過してタイムアウトになったか否かをさらに判断し（Ｓ５５）、タイムアウトでなければ（Ｓ５５：ＮＯ）Ｓ５３に戻って再び応答がないか否かを判断する。タイムアウトの場合には（Ｓ５５：ＹＥＳ）、Ｓ２５０に戻る。
【００８４】
情報提供装置３から応答があった場合には（Ｓ５３：ＹＥＳ）、応答電波を受信する（Ｓ５７）。そして、受信した応答電波から広告詳細情報を分離し（Ｓ５９）、ＲＡＭ７７の広告詳細情報格納エリアに一旦格納して（Ｓ６１）、液晶等の表示画面に広告詳細情報を表示する（Ｓ６３）。そして、Ｓ２５０に戻る。ここで受信される広告詳細情報は、図７のフローチャートで説明したように、携帯情報端末４がリクエストを送信した時刻や、中吊り広告２の設置位置によって選択された情報であり、前述した「午前１０時、ｂ路線」という例では、情報１，情報２，情報４，情報６が広告詳細情報として受信され、表示される。
【００８５】
次に、図２０を参照して、履歴情報収集端末２０５の処理について説明する。図２０に示すように、まず、広告アクセス情報（履歴情報）のリクエストであることを示す広告アクセス情報リクエストコードをスキャン電波に変換する（Ｓ２６０）。これは、情報提供装置２０３に対してスキャン電波の発信によるリクエストが２種類存在することから、情報提供装置２０３がどちらのリクエストであるのかを識別するためのコードとして生成するものである。
【００８６】
次に、変換したスキャン電波を無線送信部４１から情報提供装置３に向けて送信する（Ｓ２６１）。そして、情報提供装置３から応答があったか否かを判断し（Ｓ２６３）、応答がない場合には（Ｓ２６３：ＮＯ）、所定の時間を経過してタイムアウトになったか否かをさらに判断し（Ｓ２６５）、タイムアウトでなければ（Ｓ２６５：ＮＯ）Ｓ２６３に戻って再び応答がないか否かを判断する。タイムアウトの場合には（Ｓ２６５：ＹＥＳ）、Ｓ２６０に戻る。
【００８７】
情報提供装置３から応答があった場合には（Ｓ２６３：ＹＥＳ）、応答電波を受信する（Ｓ２６７）。そして、受信した応答電波から、広告名、アクセス数、広告設置時刻、広告設置位置情報を分離する（Ｓ２６９）。
【００８８】
次に、分離した広告名、アクセス数、広告設置時刻、広告設置位置情報を広告アクセス情報としてＲＡＭ２２７の広告アクセス情報格納エリア２２７２に記憶する（Ｓ２７１）。以上の処理により、この広告に関する広告アクセス情報の収集が終了したので、次の広告に関するアクセス情報の収集・記憶に備えて、広告アクセス情報格納エリア２２７２の保存アドレスを更新する（Ｓ２７３）。そして、Ｓ２６０に戻る。
【００８９】
以上説明したように、本実施の形態の情報提供システム２０５によれば、携帯情報端末４から広告詳細情報リクエストがあるごとに、アクセスカウント格納エリア５７５のカウンタ値に１を加えてアクセス数を計数し、記憶しておく。そして、履歴情報収集端末２０５から情報提供装置２０３にリクエストがあれば、広告名、その広告の設置時刻、設置位置情報、詳細情報へのアクセス数をＲＡＭ５７から取り出して履歴情報として履歴情報収集端末２０５に送信する。履歴情報収集端末２０５のリクエストコードをのせたスキャン電波の発信を常時行うように構成しておけば、たとえば、中吊り広告の付け替え作業を行う際に履歴情報収集端末２０５を携帯しておくだけで、自動的に履歴情報が個々の中吊り広告２に対応する情報提供装置２０３から収集できる。収集された履歴情報は、広告効果を計測したり、マーケット情報として利用するなど幅広い利用が考えられる。
【００９０】
次に、本発明の第四の実施の形態について、図２１〜図２８を参照して説明する。まず、第四の実施の形態の構成について、図２１〜図２３を参照して説明する。図２１は、第四の実施の形態の情報提供システム３００の構成図である。図２２は、本実施形態の印刷物設置装置３０３のブロック図である。図２３は、広告情報データベース３１３の模式図である。以下において、第一乃至第三の実施の形態と共通の構成及びステップについては、同一の符号を付し、説明を省略する。
【００９１】
図２１に示すように、情報システム３００は、中吊り広告２と、中吊り広告２のクリップ部３１近傍に配置された印刷物設置装置３０３と、中吊り広告２の詳細情報を記憶した情報提供サーバ３０６と、情報提供サーバに広告詳細情報をリクエストする携帯情報端末３０４とから構成されている。
【００９２】
中吊り広告２には、広告詳細情報そのものを記憶した記憶装置等は付されておらず、広告ＩＤがバーコード等の印刷情報により記載されている。印刷物設置装置３０３は、第一の実施の形態における情報提供装置３とほぼ同様の構成であるが、広告詳細情報読み込み部に替えて広告ＩＤ情報読み込み部３１０を、広告詳細情報記憶部に替えて広告ＩＤ情報記憶部３１１を有し、また、広告ＩＤ情報を読み取るためのバーコードスキャナ３１２がクリップ部３１に設けられている。また、情報提供サーバ３０６には、広告ＩＤに対応した広告詳細情報データベース３１３が備えられ、携帯情報端末３０４には、情報提供サーバ３０６に広告詳細情報のリクエストを行うためのサーバ接続部３１４が設けられている。なお、必須の構成ではないが、情報提供サーバ３０６に広告詳細情報へのアクセス履歴を記憶する広告アクセス履歴データベース３１５を備えてもよい。
【００９３】
次に、図２２を参照して、印刷物設置装置３０３の電気的構成について説明する。図２２に示すように、印刷物設置装置３０３は、ＣＰＵ５１を中心に、広告ＩＤ情報読み込み回路３２２，クリップ挟み込み検出回路５３，リアルタイマ３９，無線送信回路５４，無線受信回路５５，プログラムや静的データを記憶したＲＯＭ５６，動的情報を記憶するＲＡＭ５７から構成されている。ＲＯＭ５６には、プログラム格納エリア５６１と、静的データ格納エリア５６２と、設置位置情報格納エリア５６３とが設けられている。また、ＲＡＭ５７には、プログラム動作に必要な変数を格納する変数格納エリア５７１と、広告ＩＤ情報を格納する広告ＩＤ情報格納エリア５７６と、広告ＩＤ情報の読込時刻を格納する設置時刻格納エリア５７３とが設けられている。なお、ＲＡＭ５７は、不揮発性メモリで構成してもよい。ここで、ＲＡＭ５７の広告ＩＤ情報格納エリア５７６が本発明のＩＤ記憶手段に相当し、設置時刻格納エリア５７３が本発明のＩＤ取得時刻記憶手段に相当する。また、無線送信回路５４が本発明のＩＤ送信手段に相当する。
【００９４】
次に、図２３を参照して、情報提供サーバ３０６に備えられた広告詳細情報データベース３１３について説明する。図２３に示すように、広告詳細情報データベース３１３は、広告情報レコードの集合体として構成され、個々のレコード（行）は、広告ＩＤ３１３０，広告名３１３１，広告時間３１３２，広告位置３１３３，広告詳細内容３１３４の各項目から構成されている。広告ＩＤ３１３０には、中吊り広告２に付された広告ＩＤ情報に対応するＩＤが記憶され、広告名３１３１には広告ＩＤに対応する広告名が記憶されている。広告時間３１３２には、広告詳細情報をリクエストされたときの時刻によって提供する詳細情報を変化させる場合に、条件となる提供時間が記憶される。例えば、全ての時間に提供する詳細情報にはＡＬＬが、午前中提供する詳細情報にはＡＭが、午後に提供する詳細情報にはＰＭが記憶されている。広告位置３１３３には、広告詳細情報をリクエストされた対象の中吊り広告２がつり下げられている場所（路線）によって提供する詳細情報を変化させる場合に、条件となる提供対象場所が記憶される。例えば、全ての場所にある広告について提供する詳細情報にはＡＬＬが、ａ路線に設置されている広告について提供する詳細情報にはａ路線が、ｂ路線に設置されている広告について提供する詳細情報にはｂ路線が記憶される。広告詳細内容３１３４には、提供する広告詳細情報の内容が記憶されている。広告時間や広告位置によって提供情報がフィルタリングされるので、広告時間、広告位置に対応させて提供情報が分割して記憶されている。
【００９５】
次に、このように構成された情報提供システムの作用について図２４〜図２９のフローチャートを参照して説明する。図２４は、印刷物設置装置３０３の処理の流れを示すフローチャートである。図２５は、図２４のフローチャートのＳ３０３の広告ＩＤ情報スキャン処理のサブルーチンのフローチャートである。図２６は、図２４のフローチャートのＳ３１１の無線処理のサブルーチンのフローチャートである。図２７は、携帯情報端末４の処理の流れを示すフローチャートである。図２８は、情報提供サーバ３０６の処理の流れを示すフローチャートである。図２９は、図２８のフローチャートの広告詳細情報検索処理のサブルーチンのフローチャートである。
【００９６】
まず、印刷物設置装置３０３のメイン処理について図２４を参照して説明する。まず、中吊り広告２がクリップ部３１にセットされたか否かを判断する（Ｓ１）。この判断は、クリップ挟み込み検出回路５３に信号が入力され、ＣＰＵ５１に検出信号が出力されたか否かにより行なわれる。セットされていない場合には（Ｓ１：ＮＯ）、Ｓ３１１の無線処理に進む。中吊り広告２がセットされた場合には（Ｓ１：ＹＥＳ）、広告ＩＤ情報を読み込む広告ＩＤ情報スキャン処理を行なう（Ｓ３０３）。この処理の詳細は後述する。そして、スキャンされた広告ＩＤを、ＲＡＭ５７に既に記憶されている広告ＩＤ情報と比較し、同一であるか否かを判断する（Ｓ３０５）。同一であれば（Ｓ３０５：ＹＥＳ）、重ねて記憶を行なわず、Ｓ３１１に進む。以前に記憶されている広告ＩＤ情報と同一でなければ（Ｓ３０５：ＮＯ）、読み込んだ広告ＩＤ情報をＲＡＭ５７の広告ＩＤ情報格納エリア５７６に記憶する（Ｓ３０７）。そして、この広告がいつから設置されたかを記憶するため、リアルタイマ３９から得られる現在時刻を設置時刻格納エリア５７３に記憶する（Ｓ９）。以上のＳ１〜Ｓ９が、中吊り広告２が設置されたときの処理である。
【００９７】
次に、携帯情報端末４に対して広告ＩＤ情報を提供する無線処理を行なう（Ｓ３１１）。本実施形態では、携帯情報端末４からのリクエストを待たず、常時情報を電波に乗せて発信しており、携帯情報端末４が電波を受信できる範囲に入っていれば、広告ＩＤ情報を受信して、これを利用してサーバに詳細情報をリクエストすることができる。無線処理が終了すると、Ｓ１に戻り、以上のステップを繰り返す。無線処理の詳細は後述する。
【００９８】
次に、図２５を参照して、図２４のＳ３０３で行なう広告ＩＤ情報スキャン処理について説明する。図２５に示すように、まず、バーコードスキャナ３１２を初期化する（Ｓ３２１）。次に、バーコードスキャナ３１２により、中吊り広告２の広告ＩＤ情報を読み込む（Ｓ３２３）。ここでは広告ＩＤ情報は、バーコードで印刷されているので、ただちにＩＤを読み込むことができる。バーコードでなく、通常の印刷とした場合には、画像スキャナで印刷情報を読み取って、読み取った画像情報をＩＤ情報に変換するステップを加えればよい。
【００９９】
次に、図２６を参照して、図２４のＳ３１１で実行される無線処理の詳細について説明する。まず、リアルタイマ３９から得られた現在時刻をアクセス時刻とする（Ｓ３３１）。次に、広告ＩＤ情報格納エリア５７６から広告ＩＤ情報を、設置時刻格納エリア５７３から設置時刻を、設置位置情報格納エリア５６３から設置位置情報を取り出す（Ｓ３３３）。次に、読み出した広告ＩＤ情報、設置時刻、設置位置情報と、Ｓ３３１で求めたアクセス時刻を携帯情報端末４に対する広告電波に変換する（Ｓ３３５）。そして、変換された広告電波を携帯情報端末４に向けて送信する（Ｓ３３７）。その後、メインルーチンに戻る。
【０１００】
次に、図２７を参照して、携帯情報端末４における処理について説明する。まず、印刷物設置装置３０３から発信されている広告電波（図２６，Ｓ３３７参照）を受信する（Ｓ３４１）。前述のように、この広告電波は、携帯情報端末４からリクエストしなくても、常時発信されているものであり、電波の受信範囲に携帯情報端末４が入ることで受信が行なわれる。次に、受信した広告電波から、広告ＩＤ情報、設置時刻、設置位置情報、アクセス時刻を分離する（Ｓ３４３）。そして、情報提供サーバ３０６に接続する（Ｓ３４５）。サーバに接続したら、Ｓ３４３で得られた広告ＩＤ情報、設置時刻、設置位置情報、アクセス時刻をサーバに送信する（Ｓ３４７）。これらの情報の送信が広告情報のリクエストとなる。
【０１０１】
次に、情報提供サーバ３０６から応答があったか否かを判断し（Ｓ３４９）、応答がない場合には（Ｓ３４９：ＮＯ）、所定の時間を経過してタイムアウトになったか否かをさらに判断し（Ｓ３５１）、タイムアウトでなければ（Ｓ３５１：ＮＯ）、Ｓ３４９に戻って再び応答がないか否かを判断する。タイムアウトの場合には（Ｓ３５１：ＹＥＳ）、Ｓ３４１に戻る。
【０１０２】
情報提供サーバ３０６から応答があった場合には（Ｓ３４９：ＹＥＳ）、広告詳細情報を受信する（Ｓ３５３）。そして、受信した広告詳細情報をＲＡＭ７７の広告詳細情報格納エリア７７２に一旦格納して（Ｓ３５５）、液晶等の表示画面に広告詳細情報を表示する（Ｓ３５７）。そして、Ｓ３４１に戻る。ここで受信される広告詳細情報については後述する。
【０１０３】
次に、情報提供サーバ３０６で行なわれる処理について図２８を参照して説明する。まず、携帯情報端末４からの接続要求（図２７，Ｓ３４７参照）があったか否かを判断する（Ｓ３６１）。接続要求がない場合は(Ｓ３６１：ＮＯ)、接続要求があるまでＳ３６１の判断を繰り返す。接続要求があった場合には(Ｓ３６１：ＹＥＳ)、周知の方法で携帯情報端末４との回線接続処理を行なう（Ｓ３６３）。次に、接続要求してきた携帯情報端末４が広告情報をリクエストしているか否かを判断する（Ｓ３６５）。広告情報のリクエストでなければ(Ｓ３６５：ＮＯ)、Ｓ３７３に進む。
【０１０４】
広告情報のリクエストの場合には(Ｓ３６５：ＹＥＳ)、広告ＩＤ情報、設置時刻、設置位置情報、アクセス時刻を携帯情報端末４から受信する（Ｓ３６７）。例えば、広告ＩＤ情報がＩＤ１、アクセス時刻が午前１０時、設置位置がｂ路線、という情報を受信したとする。次に、受信したこれらの情報に基づいて広告詳細情報データベース３１３を検索する広告詳細情報検索処理を行なう（Ｓ３６９）。広告詳細情報検索処理の詳細については後述する。検索処理が終了したら、検索の結果得られた広告詳細情報を携帯情報端末４に送信する（Ｓ３７１）。そして、携帯情報端末４との回線を切断する（Ｓ３７３）。
【０１０５】
以上で携帯情報端末４に対する広告詳細情報の提供処理が終了したので、このアクセス履歴を記憶する処理に移行する。すなわち、広告ＩＤ情報、設置時刻、設置位置情報、アクセス時刻を広告アクセス履歴データベース３１５に保存する（Ｓ３７５）。そして、次の履歴情報記憶に備えて、広告アクセス履歴データベース３１５の保存アドレスを更新する（Ｓ３７７）。そして、Ｓ３６１に戻る。
【０１０６】
次に、図２８のＳ３６９で行なう広告詳細情報検索処理について、図２９を参照して説明する。まず、広告詳細情報データベース３１３をオープンする（Ｓ３８１）。以下では、最初のレコードから順に１レコードずつ処理を行なう。まず、広告情報の１レコード分を読み出す（Ｓ３８３）。次に、広告情報レコードが終わりか、すなわち、Ｓ３８３で読み出しが行えなかったか否かを判断する（Ｓ３８５）。広告情報レコードが終わりの場合には(Ｓ３８５：ＹＥＳ)、広告詳細情報データベース３１３をクローズする（Ｓ３８７）。そして、図２８のサーバのメインルーチンに戻る。
【０１０７】
広告情報レコードが終わりでない場合には（Ｓ３８５：ＮＯ）、携帯情報端末４から受信した（図２８，Ｓ３６７）広告ＩＤ情報が、Ｓ３８１で読み出したレコードの広告ＩＤと一致しているか否かを判断する（Ｓ３８９）。一致していない場合には（Ｓ３８９：ＮＯ）、Ｓ３８３に戻って次のレコードの読み出しを行なう。
【０１０８】
広告ＩＤ情報が、Ｓ３８１で読み出したレコードの広告ＩＤと一致した場合には（Ｓ３８９：ＹＥＳ）、そのレコードの広告情報がリクエストされている広告のものであるから、まず、読み出されているレコードから広告名を取り出す（Ｓ３４１）。次に、読み出されているレコードから広告時間を取り出す（Ｓ３４３）。例えば、図２３の広告情報データベース３１３の例では、１回目の処理では、広告時間「ＡＬＬ」が読み込まれる。次に、このレコードが広告時間項目の終わりのレコードか否かを判断する（Ｓ３４５）。図２３に示すように、項目の最終レコードの次レコードには、項目終わりを示す情報［ＥＮＤ］が記憶されているので、この情報の有無により判断する。
【０１０９】
広告時間項目の終わりでなければ（Ｓ３４５：ＮＯ）、携帯情報端末４から受信した（図２８，Ｓ３６７）アクセス時刻がＳ３８３で読み出した広告時間の条件内に入っているか否かを判断する（Ｓ３４７）。例えば、先の例では、読み出した広告時間は「ＡＬＬ」なので、現在時刻にかかわらず、広告時間内であるから、受信したアクセス時刻１０時は条件を満たしているので（Ｓ３４７：ＹＥＳ）、現在処理中のレコードにある広告詳細内容３１３４の情報を送信すべき広告詳細情報として記憶する（Ｓ３４９）。先の例では、情報１が記憶される。そして、Ｓ３４３に戻る。
【０１１０】
２回目の処理では、次行のレコードの広告時間「ＡＭ」を読み出し（Ｓ３４３）、まだ広告時間項目の終わりではないので（Ｓ３４５：ＮＯ）、アクセス時刻１０時と読み出した広告時間「ＡＭ」を比較し、時間内に入っているので（Ｓ３４７：ＹＥＳ）、このレコードの広告詳細情報を送信情報に追加して記憶する（Ｓ３４９）。すなわち、情報１の次に情報２が追加される。そして、Ｓ３４３に戻る。
【０１１１】
３回目の処理では、次行のレコードの広告時間「ＰＭ」を読み出し（Ｓ３４３）、まだ広告時間項目の終わりではないので（Ｓ３４５：ＮＯ）、アクセス時刻１０時と読み出した広告時間「ＰＭ」を比較し、時間内に入っていないので（Ｓ３４７：ＮＯ）、そのままＳ３４３に戻る。
【０１１２】
４回目の処理では、次行のレコードの広告時間に記憶された項目終わり情報［ＥＮＤ］を読み出し（Ｓ３４３）、広告時間項目の終わりとなったので（Ｓ３４５：ＹＥＳ）、次に、現在処理中のレコードから広告位置を取り出す（Ｓ３５１）。ここでは、広告位置「ＡＬＬ」が読み出される。
【０１１３】
次に、広告位置項目の終わりか否かを判断する（Ｓ３５３）。図２３に示すように、広告位置項目にも、終わりを示す情報が記憶されている。広告位置項目の終わりでなければ（Ｓ３５３：ＮＯ）、携帯情報端末４から受信した設置位置がＳ３５１で読み出した広告位置条件を満たしているか否かを判断する（Ｓ３５５）。現在処理中のレコードは、広告位置条件は「ＡＬＬ」なので、設置位置にかかわらず、条件を満たしているので（Ｓ３５５：ＹＥＳ）、現在処理中のレコードにある広告詳細内容８４の情報を送信すべき広告詳細情報としてＲＡＭ５７の送信情報格納エリア５７４に追加して記憶する（Ｓ３５７）。ここでは、情報４が記憶される。そして、Ｓ３５１に戻る。
【０１１４】
２回目の処理では、次行のレコードの広告位置「ａ路線」を読み出し（Ｓ３５１）、まだ広告位置項目の終わりではないので（Ｓ３５３：ＮＯ）、設置位置であるｂ路線と読み出した広告位置条件「ａ路線」を比較し、条件を満たしていないので（Ｓ３５５：ＮＯ）、そのままＳ３５１に戻る。
【０１１５】
３回目の処理では、次行のレコードの広告位置「ｂ路線」を読み出し（Ｓ３５１）、まだ広告位置項目の終わりではないので（Ｓ３５３：ＮＯ）、設置位置であるｂ路線と読み出した広告位置条件「ｂ路線」を比較し、条件を満たしているので（Ｓ３５５：ＹＥＳ）、現在処理中のレコードにある広告詳細内容３１３４の情報を送信すべき広告詳細情報として追加して記憶する（Ｓ３５７）。ここでは、情報６が記憶される。そして、Ｓ３５１に戻る。
【０１１６】
４回目の処理では、次行のレコードの広告位置に記憶された項目終わり情報［ＥＮＤ］を読み出し（Ｓ３５１）、広告位置項目の終わりとなったので（Ｓ３５３：ＹＥＳ）、広告情報データベース３１３をクローズし（Ｓ３５９）、メインルーチンに戻る。以上の処理により、この例では携帯情報端末４に送信すべき広告情報として、情報１，情報２，情報４，情報６が用意されたことになる。
【０１１７】
以上説明したように、本実施形態の情報提供システム３００によれば、中吊り広告２には広告ＩＤがバーコードなどで印刷され、中吊り広告２がクリップ部３１に挟まれたことを契機として、印刷物設置装置３０３にその広告ＩＤが読み込まれる。印刷物設置装置３０３は、この広告ＩＤと設置位置情報、設置時刻情報等の広告詳細情報を得るために必要な情報を、常時広告電波として発信しており、携帯情報端末４はこれを受信して、情報提供サーバ３０６に接続し、情報提供サーバ３０６に詳細情報をリクエストする。情報提供サーバ３０６では、受信した広告ＩＤ等の情報をもとに広告情報データベース３１３を検索して、対応する広告の詳細情報をアクセス時刻や設置位置に合わせて選択し、携帯情報端末４に送信する。従って、中吊り広告２には詳細情報自体を持たせないので、記憶媒体等を設ける必要が無く、簡単に構成できる。
【０１１８】
なお、本実施形態において、図２８のＳ３６７及び図２９で行なう広告詳細情報検索処理を実行する情報提供サーバ３０６のＣＰＵが本発明の詳細情報抽出手段として機能する。また、図２４のＳ３０５において広告ＩＤ情報比較処理を実行するＣＰＵ５１が本発明のＩＤ比較手段として機能する。
【図面の簡単な説明】
【０１１９】
【図１】第一の実施の形態の情報提供システム１の構成図である。
【図２】本実施形態の情報提供装置３のブロック図である。
【図３】本実施形態の携帯情報端末４のブロック図である。
【図４】広告情報テーブル８０の模式図である。
【図５】情報提供装置３の処理の流れを示すフローチャートである。
【図６】図５のフローチャートの無線処理のサブルーチンのフローチャートである。
【図７】図６のフローチャートの広告詳細情報読み出し処理のサブルーチンのフローチャートである。
【図８】携帯情報端末４の処理の流れを示すフローチャートである。
【図９】第二の実施の形態の情報提供システム１００の構成図である。
【図１０】本実施形態の情報提供装置１０３のブロック図である。
【図１１】情報提供装置１０３のメイン処理のフローチャートである。
【図１２】メイン処理の中の広告詳細情報スキャン処理のサブルーチンのフローチャートである。
【図１３】第三の実施の形態の情報提供システム２００の構成図である。
【図１４】情報提供装置２０３のＲＯＭ５６の構成を示す模式図である。
【図１５】情報提供装置２０３のＲＡＭ５７の構成を示す模式図である。
【図１６】履歴情報収集端末２０５の電気的構成を示すブロック図である。
【図１７】情報提供装置１０３のメイン処理のフローチャートである。
【図１８】メイン処理の中の無線処理のサブルーチンのフローチャートである。
【図１９】携帯情報端末４の処理の流れを示すフローチャートである。
【図２０】履歴情報収集端末２０５の処理の流れを示すフローチャートである。
【図２１】第四の実施の形態の情報提供システム３００の構成図である。
【図２２】印刷物設置装置３０３のブロック図である。
【図２３】広告情報データベース３１３の模式図である。
【図２４】印刷物設置装置３０３の処理の流れを示すフローチャートである。
【図２５】図２４のフローチャートのＳ３０３の広告ＩＤ情報スキャン処理のサブルーチンのである。
【図２６】図２４のフローチャートのＳ３１１の無線処理のサブルーチンのフローチャートである。
【図２７】携帯情報端末４の処理の流れを示すフローチャートである。
【図２８】情報提供サーバ３０６の処理の流れを示すフローチャートである。
【図２９】図２８のフローチャートの広告詳細情報検索処理のサブルーチンのフローチャートである。
【符号の説明】
【０１２０】
１      情報提供システム
２      中吊り広告
３      情報提供装置
４      携帯情報端末
５１      ＣＰＵ
５２      広告詳細情報読み込み回路
５３      クリップ挟み込み検出回路
５４      無線送信回路
５５      無線受信回路
５６      ＲＯＭ
５６３      設置位置情報格納エリア
５７      ＲＡＭ
５７２      広告詳細情報格納エリア
５７３      設置時刻格納エリア
５７５      アクセスカウント格納エリア
６２      ＲＯＭ
６２１      広告詳細情報格納エリア
７６      ＲＯＭ
７７      ＲＡＭ
７７２      広告詳細情報格納エリア
８０      広告情報テーブル
１００      情報提供システム
１０３      情報提供装置
１０４      画像スキャナ
２００      情報提供システム
２０３      情報提供装置
２０５      履歴情報収集端末
２２４      無線送信回路
２２６      ＲＯＭ
２２７      ＲＡＭ
２２７２      広告アクセス情報格納エリア
３００      情報提供システム
３０３      印刷物設置装置
３０４      携帯情報端末
３０６      情報提供サーバ
３１０      広告ＩＤ読み込み部
３１２      バーコードスキャナ
３１３      広告詳細情報データベース
【図１】
2005165163.tif 000003
【図２】
2005165163.tif 000004
【図３】
2005165163.tif 000005
【図４】
2005165163.tif 000006
【図５】
2005165163.tif 000007
【図６】
2005165163.tif 000008
【図７】
2005165163.tif 000009
【図８】
2005165163.tif 000010
【図９】
2005165163.tif 000011
【図１０】
2005165163.tif 000012
【図１１】
2005165163.tif 000013
【図１２】
2005165163.tif 000014
【図１３】
2005165163.tif 000015
【図１４】
2005165163.tif 000016
【図１５】
2005165163.tif 000017
【図１６】
2005165163.tif 000018
【図１７】
2005165163.tif 000019
【図１８】
2005165163.tif 000020
【図１９】
2005165163.tif 000021
【図２０】
2005165163.tif 000022
【図２１】
2005165163.tif 000023
【図２２】
2005165163.tif 000024
【図２３】
2005165163.tif 000025
【図２４】
2005165163.tif 000026
【図２５】
2005165163.tif 000027
【図２６】
2005165163.tif 000028
【図２７】
2005165163.tif 000029
【図２８】
2005165163.tif 000030
【図２９】
2005165163.tif 000031